(57)【要約】      （修正有）【課題】蓄エネルギー効率を高めることができる蓄エネルギーユニット固定の機能を備える蓄エネルギー槽を提供する。【解決手段】蓄エネルギー槽１０は槽体１及び固定アセンブリ２を備え、槽体には工作液１００を充填し、槽体は槽底板１１を備え、固定アセンブリは槽体に収容設置され、固定部品２１及び固定部品末端に固定する安定設置部品２２を備える。蓄エネルギーユニット２００は固定部品に連接し、安定設置部品は槽底板に設置し、安定設置部品と固定部品とは共同で、蓄エネルギーユニットを工作液内に完全に引き入れる。これにより蓄エネルギーユニットは、クラスター状、グループ状の方式で槽体中に固定され、工作液面の下に均一に分布し、各蓄エネルギーユニットと工作液とを確実かつ充分に接触させることができ、蓄エネルギー効率を高める。【選択図】図２
0003195846.tif 000002
【実用新案登録請求の範囲】
【請求項１】
蓄エネルギーユニット固定の機能を備える蓄エネルギー槽は、工作液及び蓄エネルギーユニットに用い、
該蓄エネルギー槽は、槽体、固定アセンブリを備え、
該槽体には、工作液を充填し、該槽体は、槽底板を備え、
該固定アセンブリは、該槽体に収容設置し、該固定アセンブリは、固定部品、及び該固定部品末端に固定する安定設置部品を備え、
該蓄エネルギーユニットは、該固定部品に連接し、該安定設置部品は、該槽底板に設置し、該安定設置部品と該固定部品とは共同で、該蓄エネルギーユニットを工作液内に完全に引き入れられることを特徴とする蓄エネルギーユニット固定の機能を備える蓄エネルギー槽。
【請求項２】
前記安定設置部品は、ウェイトブロックであることを特徴とする請求項１に記載の蓄エネルギーユニット固定の機能を備える蓄エネルギー槽。
【請求項３】
前記槽底板は、磁性部品を備え、
該安定設置部品は、磁石で、
該磁石と該磁性部品とは、磁性で相互に引き合うことを特徴とする請求項１に記載の蓄エネルギーユニット固定の機能を備える蓄エネルギー槽。
【請求項４】
前記槽底板には、磁石を設置し、
該安定設置部品は、磁性部品で、
該磁石と該磁性部品とは、磁性で相互に引き合うことを特徴とする請求項１に記載の蓄エネルギーユニット固定の機能を備える蓄エネルギー槽。
【請求項５】
前記槽底板は、内側面及び外側面を備え、
該磁石は、該内側面或いは該外側面に設置することを特徴とする請求項４に記載の蓄エネルギーユニット固定の機能を備える蓄エネルギー槽。
【請求項６】
前記槽底板には、第一フックを設置し、
該安定設置部品は、第二フックで、
該第一フックと該第二フックとは、相互に引っ掛かることを特徴とする請求項１に記載の蓄エネルギーユニット固定の機能を備える蓄エネルギー槽。
【請求項７】
前記固定アセンブリはさらに、ウェイトを備え、
該ウェイト両端には、第三フック及び第四フックを設置し、
該第三フックと該第一フックとは、相互に引っ掛かり、該第四フックと該第二フックとは、相互に引っ掛かることを特徴とする請求項６に記載の蓄エネルギーユニット固定の機能を備える蓄エネルギー槽。
【請求項８】
前記固定部品は、袋体で、
該蓄エネルギーユニットは、該袋体に収容設置することを特徴とする請求項１に記載の蓄エネルギーユニット固定の機能を備える蓄エネルギー槽。
【請求項９】
前記固定部品は、ロープ体で、
該蓄エネルギーユニットには、貫通孔を設置し、
該蓄エネルギーユニットは、該貫通孔を通して、該ロープ体に通して設置されることを特徴とする請求項１に記載の蓄エネルギーユニット固定の機能を備える蓄エネルギー槽。
【請求項１０】
前記固定部品は、ポール体で、
該蓄エネルギーユニットには、貫通孔を設置し、
該蓄エネルギーユニットは、該貫通孔を通して、該ポール体に通して設置されることを特徴とする請求項１に記載の蓄エネルギーユニット固定の機能を備える蓄エネルギー槽。
【考案の詳細な説明】
【技術分野】
【０００１】
本考案は蓄冷液或いは蓄熱液を充填する蓄エネルギー槽構造に関し、特に蓄エネルギーユニット固定の機能を備える蓄エネルギー槽に関する。
【背景技術】
【０００２】
一般の蓄エネルギー空調システムは、槽体を備える。
槽体内には、冷凍或いは加熱に用いる工作液体を充填し、及び若干の蓄エネルギーユニットを加える。
蓄エネルギーユニットは、バラバラに置く方式で槽体中に入れられる。
蓄冷槽では、アイスボールが入れられることが多い。
【０００３】
しかし、アイスボールをバラバラに入れる際の最大の問題は、その比重が工作液体より軽く、さらに量が多いため積み重なり、一部のボールが工作液体上に浮いてしまう点である。
【０００４】
これにより、表層のアイスボールは凍らないため、予期の蓄冷量を達成できなくなってしまう。
こうして、アイスボールの蓄冷量は低くなり、蓄エネルギー空調が放出できる冷気の量も、理論?より低くなってしまう。
本考案は、従来の蓄エネルギー槽の上記した欠点に鑑みてなされたものである。
【考案の概要】
【考案が解決しようとする課題】
【０００５】
本考案が解決しようとする課題は、安定設置部品と固定部品を利用して、共同で、蓄エネルギーユニットを工作液内に完全に引き入れ、これにより蓄エネルギーユニットは、クラスター状、グループ状の方式で槽体中に固定され、蓄エネルギーユニットは工作液面の下に均一に分布し、蓄エネルギーユニットをバラバラに工作液体上に浮かせる従来の方式に比べ、本考案は各蓄エネルギーユニットと工作液とを確実かつ充分に接触させることができ、こうして蓄エネルギー槽の蓄エネルギー効率を高めることができる蓄エネルギーユニット固定の機能を備える蓄エネルギー槽を提供することである。
【課題を解決するための手段】
【０００６】
上記課題を解決するため、本考案は下記の蓄エネルギーユニット固定の機能を備える蓄エネルギー槽を提供する。
蓄エネルギーユニット固定の機能を備える蓄エネルギー槽は、工作液及び蓄エネルギーユニットに用い、
該蓄エネルギー槽は、槽体、固定アセンブリを備え、
該槽体には、工作液を充填し、該槽体は、槽底板を備え、
該固定アセンブリは、該槽体に収容設置し、該固定アセンブリは、固定部品、及び該固定部品末端に固定する安定設置部品を備え、
該蓄エネルギーユニットは、該固定部品に連接し、該安定設置部品は、該槽底板に設置し、該安定設置部品と該固定部品とは共同で、該蓄エネルギーユニットを工作液内に完全に引き入れることができる。
【考案の効果】
【０００７】
本考案の蓄エネルギーユニット固定の機能を備える蓄エネルギー槽は、蓄エネルギーユニットをクラスター状、グループ状の方式で槽体中に固定するため、蓄エネルギーユニットは工作液面の下に均一に分布し、蓄エネルギーユニットをバラバラに工作液の上に浮かせる従来の方式に比べ、各蓄エネルギーユニットと工作液とが充分に接触するため、蓄エネルギー槽の蓄エネルギー効率を高めることができる。
【図面の簡単な説明】
【０００８】
【図１】本考案固定アセンブリ第一実施形態の立体分解図である。
【図２】本考案蓄エネルギー槽第一実施形態の断面模式図である。
【図３】本考案蓄エネルギー槽第二実施形態の断面模式図である。
【図４】本考案蓄エネルギー槽第三実施形態の断面模式図である。
【図５】本考案蓄エネルギー槽第四実施形態の断面模式図である。
【図６】本考案蓄エネルギー槽第五実施形態の断面模式図である。
【図７】本考案蓄エネルギー槽第六実施形態の断面模式図である。
【図８】本考案蓄エネルギー槽第七実施形態の断面模式図である。
【図９】本考案蓄エネルギー槽第八実施形態の断面模式図である。
【考案を実施するための形態】
【０００９】
以下に図面を参照しながら本考案を実施するための最良の形態について詳細に説明する。
【実施例】
【００１０】
図１、２に示すように、本考案蓄エネルギーユニット固定の機能を備える蓄エネルギー槽において、蓄エネルギー槽１０は、槽体１、及び１個以上の固定アセンブリ２を備える。
【００１１】
該蓄エネルギー槽１０は、工作液１００及び１個以上の蓄エネルギーユニット２００に用い、該工作液１００は、冷凍或いは加熱のための液体である。
【００１２】
該各蓄エネルギーユニット２００内には、蓄冷或いは蓄熱材料を設置し、これにより該蓄エネルギーユニット２００を、該工作液１００に沈める時には、予め冷却或いは加熱の機能を達成することができる。
【００１３】
該各蓄エネルギーユニット２００は、球形ブロック、円形ブロック、柱形ブロック、矩型ブロック、三角形ブロック、円形リングブロック、矩型リングブロック或いは三角形リングブロック等幾何形状ブロック体である。
【００１４】
そのため、蓄エネルギーユニット２００の外型は、本実施形態に限定するものではない。
【００１５】
該槽体１には、工作液１００を充填し、該槽体１は、槽底板１１を備え、該槽底板１１は、内側面１３及び外側面１４を備える。
【００１６】
本実施形態の固定アセンブリ２の数量は、複数であるが、これに限定するものではない。
【００１７】
該各固定アセンブリ２は、該槽体１に収容設置する。
【００１８】
該各固定アセンブリ２は、固定部品２１、及び該固定部品２１末端に固定する安定設置部品２２を備える。
【００１９】
該数個の蓄エネルギーユニット２００は、各固定部品２１に連接する。
【００２０】
各安定設置部品２２は、該槽底板１１に設置し、各安定設置部品２２と各固定部品２１は共同で、数個の蓄エネルギーユニット２００を、工作液１００内に完全に引き入れる。
【００２１】
該安定設置部品２２は、ウェイトブロック２２１で、ウェイトブロック２２１は、分銅等のおもり部品で、固定部品２１は、袋体２１１である。
【００２２】
本実施形態の蓄エネルギーユニット２００の数量は、複数で、数個の蓄エネルギーユニット２００は、袋体２１１にまとめて収容設置される。
【００２３】
本考案蓄エネルギー槽１０の組合せは、槽体１を利用して工作液１００を充填し、槽体１は、槽底板１１を備える。
【００２４】
該固定アセンブリ２は、槽体１に収容設置し、固定アセンブリ２は、固定部品２１、及び固定部品２１末端に固定する安定設置部品２２を備える。
【００２５】
該蓄エネルギーユニット２００は、固定部品２１に連接し、安定設置部品２２は、槽底板１１に設置し、安定設置部品２２と固定部品２１とは共同で、蓄エネルギーユニット２００を、工作液１００内に完全に引き入れる。
【００２６】
これにより、該蓄エネルギーユニット２００は、クラスター状、グループ状の方式で槽体１中に固定される。
【００２７】
これにより、蓄エネルギーユニット２００は工作液１００面の下に均一に分布する。
【００２８】
蓄エネルギーユニット２００をバラバラに工作液１００の上に浮かせる従来の方式に比べ、本考案は、各蓄エネルギーユニット２００と工作液１００とを、充分に接触させることができ、これにより蓄エネルギー槽１０の蓄エネルギー効率を高めることができる。
【００２９】
本考案蓄エネルギー槽１０の使用においては、先ず、数個の蓄エネルギーユニット２００を、袋体２１１に収容設置し、さらに固定アセンブリ２を槽体１に入れる。
【００３０】
該蓄エネルギーユニット２００の比重は、工作液１００の比重より軽いため、蓄エネルギーユニット２００は、工作液１００上に浮いてしまうが、ウェイトブロック２２１は分銅等のおもり部品であるため、ウェイトブロック２２１を、槽底板１１まで沈ませることができる。
【００３１】
こうして、袋体２１１及び蓄エネルギーユニット２００を、工作液１００面下へと完全に引き入れることができ、蓄エネルギーユニット２００は、クラスター状、グループ状の方式で槽体１中に固定される。
【００３２】
これにより、蓄エネルギーユニット２００は、工作液１００面の下に均一に分布し、蓄エネルギーを行う。
【００３３】
本考案の蓄エネルギーユニット２００は、確実に工作液１００中に完全に沈めることができる。
【００３４】
こうして、各蓄エネルギーユニット２００をすべて工作液１００と充分に接触させることができ、蓄エネルギーユニットを工作液上に浮かせる従来の方式に比べ、本考案の蓄エネルギー槽１０の蓄エネルギー効果は良好である。
【００３５】
図２に示すように、該固定部品２１は、袋体２１１である。
【００３６】
該袋体２１１の形状には、制限があり、さらに該蓄エネルギーユニット２００は、工作液１００面の方向へと浮かぶため、数個の蓄エネルギーユニット２００は、自動的に上、下にクラスター状或いはグループ状に、袋体２１１内に配列する。
【００３７】
これにより、槽体１内の空間は、より有効に利用され、蓄エネルギー槽１０は、優良な蓄エネルギー効率を達成することができる。
【００３８】
本考案蓄エネルギー槽１０の第二実施形態の模式図である図３に示すように、第二実施形態は、第一実施形態とおおよそ相同であるが、第二実施形態の第一実施形態との相違点は、槽底板１１に、磁石１１１を設置する点である。
【００３９】
該槽底板１１には、磁石１１１を設置し、該磁石１１１は、内側面１３に設置する。
【００４０】
安定設置部品２２は、鉄を含む材質で製造する磁性部品２２２で、磁石１１１と磁性部品２２２とは、磁性で相互に引き合う。
【００４１】
これにより、該磁石１１１と該磁性部品２２２とは、磁性で相互に引き合い、該磁性部品２２２は、該槽底板１１に固定される。
【００４２】
こうして、袋体２１１及び蓄エネルギーユニット２００を、工作液１００面下へと完全に引き入れることができ、第一実施形態と相同の機能及び効果を達成することができる。
【００４３】
本考案蓄エネルギー槽１０の第三実施形態の模式図である図４に示すように、第三実施形態と第二実施形態とは、おおよそ相同であるが、第三実施形態と第二実施形態との相異点は、磁石１１１を、外側面１４に設置する点である。
【００４４】
該磁石１１１を内側面１３に設置しようと、外側面１４に設置しようと、共に該磁性部品２２２を、該槽底板１１に堅固に固定して設置することができ、第二実施形態と相同の機能及び効果を達成することができる。
【００４５】
本考案第四実施形態の模式図である図５に示すように、第四実施形態は、第一実施形態とおおよそ相同であるが、第四実施形態の第一実施形態との相違点は、槽底板１１において、磁性部品１１２を備える点である。
【００４６】
該槽底板１１は、鉄を含む材質で製造し、槽底板１１そのものが磁性部品１１２である。
【００４７】
安定設置部品２２は、磁石２２３で、該磁石２２３と該磁性部品１１２とは、磁性で相互に引き合う。
【００４８】
これにより、磁石２２３と磁性部品１１２とは、磁性で相互に引き合い、該磁石２２３を、該槽底板１１に固定して設置する。
【００４９】
こうして、袋体２１１及び蓄エネルギーユニット２００を、工作液１００面下へと完全に引き入れることができ、第一実施形態と相同の機能及び効果を達成することができる。
【００５０】
本考案第五実施形態の模式図である図６に示すように、第五実施形態は、第一実施形態とおおよそ相同であるが、第五実施形態の第一実施形態との相違点は、固定部品２１がロープ体２１２である点である。
【００５１】
該固定部品２１は、ロープ体２１２で、各蓄エネルギーユニット２００には、貫通孔２０１を設置し、該数個の蓄エネルギーユニット２００は、貫通孔２０１を通して、順番に該ロープ体２１２に通して設置される。
【００５２】
これにより、第一実施形態と相同の機能及び効果を達成することができ、しかも数個の蓄エネルギーユニット２００は順番に上、下クラスター状或いはグループ状にロープ体２１２に配列される。
【００５３】
こうして、槽体１内の空間は、より有効に利用され、蓄エネルギー槽１０は、優良な蓄エネルギー効率を達成することができる。
【００５４】
また、該固定部品２１をポール体とすることもでき、数個の蓄エネルギーユニット２００は、貫通孔２０１を通して、順番にポール体に通して設置される。
【００５５】
そのため、本実施形態の固定部品２１は、ロープ体２１２或いはポール体である。
【００５６】
本考案第六実施形態の模式図である図７に示すように、第六実施形態は、第一実施形態とおおよそ相同であるが、第六実施形態の第一実施形態との相違点は、槽底板１１に、第一フック１１３を設置する点である。
【００５７】
該槽底板１１には、第一フック１１３を設置し、該安定設置部品２２は、第二フック２２４で、該第一フック１１３と該第二フック２２４とは、相互に引っ掛かる。
【００５８】
該第一フック１１３と該第二フック２２４とが、相互に引っ掛かることで、該第二フック２２４を、該槽底板１１に固定して設置する。
【００５９】
こうして、袋体２１１及び蓄エネルギーユニット２００を、工作液１００面下へと完全に引き入れることができ、第一実施形態と相同の機能及び効果を達成することができる。
【００６０】
該第一フック１１３はおおよそ、U字状フックを呈し、該第二フック２２４は、おおよそC字状フックを呈し、U字状フックとC字状フックとは、相互に引っ掛かる。
【００６１】
本考案第七実施形態の模式図である図８に示すように、第七実施形態と第六実施形態とは、おおよそ相同であるが、第七実施形態と第六実施形態との相異点は、第一フック１１３がおおよそC字状フックを呈する点である。
【００６２】
図７に示すように、該第一フック１１３は、おおよそU字状フックを呈し、該第二フック２２４は、おおよそC字状フックを呈し、U字状フックとC字状フックとは、相互に引っ掛かる。
【００６３】
図８に示すように、該第一フック１１３は、おおよそC字状フックを呈し、該第二フック２２４は、おおよそO字状フックを呈し、C字状フックとO字状フックとは、相互に引っ掛かり、第六実施形態と相同の機能及び効果を達成することができる。
【００６４】
該固定アセンブリ２は工作液１００中で動き易いため、フックがU字状フック或いはO字状フックを呈することで、２個のフックの揺れ動きによる、相互離脱を防止し、２個のフックの係合の安定性を達成することができる。
【００６５】
同様に、該第一フック１１３と該第二フック２２４もそれぞれC字状フックを呈し、該２個のC字状フックは相互に引っ掛かり、第六実施形態と同様の機能及び効果を達成することができる。
【００６６】
本考案第八実施形態の模式図である図９に示すように、第八実施形態と第六実施形態とは、おおよそ相同であるが、第八実施形態と第六実施形態との相異点は、固定アセンブリ２がさらに、ウェイト２３を備える点である。
【００６７】
該固定アセンブリ２はさらに、ウェイト２３を備え、該ウェイト２３は、分銅等のおもり部品で、該ウェイト２３両端には、第三フック２３１及び第四フック２３２を設置する。
【００６８】
該第三フック２３１と該第一フック１１３とは、相互に引っ掛かり、該第四フック２３２と該第二フック２２４とは、相互に引っ掛かる。
【００６９】
これにより、該ウェイト２３は、固定アセンブリ２の重量を増やすことができ、該第二フック２２４はさらに安定的に該槽底板１１に固定して設置され、第六実施形態と相同の機能及び効果を達成することができる。
【００７０】
該第三フック２３１と該第一フック１１３とは、U字状を呈するフックとC字状を呈するフックであるため、相互に引っ掛かる。
【００７１】
該第四フック２３２と該第二フック２２４とは、O字状を呈するフックとC字状を呈するフックであるため、相互に引っ掛かる。
【００７２】
該固定アセンブリ２は、工作液１００中で動き易いため、U字状フック或いはO字状フックを利用し、該２個のフックの揺れ動きによる相互離脱を防止し、こうして該２個のフックの係合の安定性を達成することができる。
【００７３】
同様に、該第三フック２３１と該第一フック１１３とは、それぞれC字状フックを呈し、該第三フック２３１と該第一フック１１３とは、相互に引っ掛かる効果を達成することができる。
【００７４】
該第四フック２３２と該第二フック２２４とは、それぞれC字状フックを呈し、こうして該第四フック２３２と該第二フック２２４とは、相互に引っ掛かる効果を達成することができる。
【００７５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００７６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００７７】
１００  工作液
２００  蓄エネルギーユニット
２０１  貫通孔
１０    蓄エネルギー槽
１      槽体
１１    槽底板
１１１  磁石
１１２  磁性部品
１１３  第一フック
１３    内側面
１４    外側面
２      固定アセンブリ
２１    固定部品
２１１  袋体
２１２  ロープ体
２２    安定設置部品
２２１  ウェイトブロック
２２２  磁性部品
２２３  磁石
２２４  第二フック
２３    ウェイト
２３１  第三フック
２３２  第四フック
【図１】
0003195846.tif 000003
【図２】
0003195846.tif 000004
【図３】
0003195846.tif 000005
【図４】
0003195846.tif 000006
【図５】
0003195846.tif 000007
【図６】
0003195846.tif 000008
【図７】
0003195846.tif 000009
【図８】
0003195846.tif 000010
【図９】
0003195846.tif 000011